(57)【要約】【課題】  電子機器をクレードルに置くだけで二次電池の充電を行えるという簡便さと、二次電池の充電中でも電子機器を通常通りに使用できるといった利便性とを兼ね備えた電子機器システムを提供する。【解決手段】  電子機器１０には、２個の電池収容部を有した回転ドラム１０４と、該回転ドラムを回転させる回転ギヤ１０３とを設ける。また、充電台には、二次電池を台上に載せた状態で保持する電池台２０１と、この電池台に保持された二次電池の充電を行う充電回路と、回転ギヤ１０３とかみ合うスティック形状の直線ギヤ２０５とを設ける。そして、電子機器１０を充電台にセットした際に、電池台２０１上の二次電池が回転ドラム１０４の１個の電池収容部１３１に挿入され、さらに直線ギヤ２０５が回転ギヤ１０３と噛み合って回転ドラム１０４を回転させて二次電池の交換が行われる構成とした。【選択図】        図５
2008171671.tif 000002
【特許請求の範囲】
【請求項１】
二次電池の電力で動作する携帯型の電子機器と、前記二次電池の充電を行う充電台と、を有する電子機器システムであって、
前記電子機器には、
回転軸を中心に回転するとともに該回転軸を中心とした対称の位置に２つの電池収容部を有した回転ドラムと、
前記回転ドラムを回転駆動させる駆動ギヤと、
前記回転ドラムが所定の回転角度のときに当該回転ドラムに収容された二次電池の電極に接触して内部回路に電圧を入力する電源入力端子と、
前記回転ドラムを外部に露出させて二次電池を挿抜させる開口部と、
該開口部を塞ぐシャッターと、
平板状の部材を内部に挿入可能な挿入溝と、
が設けられ、
前記充電台には、
二次電池を台上に載せた状態で保持する電池台と、
この電池台上の二次電池に対して充電を行う充電用回路と、
前記駆動ギヤと噛合可能なスティック形状の直線ギヤと、
前記電池台を前記直線ギヤに沿った方向に変位可能とする変位機構と、
が設けられ、
前記電子機器を前記充電台にセットしたときに、前記直線ギヤが前記挿入溝に入り込んで前記シャッターを開けるとともに、前記電池台上の二次電池が前記開口部から前記回転ドラムの１個の電池収容部に挿入され、さらに前記電子機器を押し込むことで、前記直線ギヤが前記駆動ギヤと噛み合って前記回転ドラムを回転させ、この回転により、前記電池収容部の配置が入れ替わって前記電池台上の二次電池と前記電子機器内の二次電池とが入れ替えられるように構成されていることを特徴とする電子機器システム。
【請求項２】
二次電池の電力で動作する携帯型の電子機器と、前記二次電池の充電を行う充電台と、を有する電子機器システムであって、
前記電子機器および前記充電台には、前記電子機器内にある二次電池と充電台にセットされている二次電池とを自動的に交換可能な電池交換機構が設けられ、
前記電子機器を前記充電台にセットして前記電池交換機構を動作させることで、充電されていた二次電池が前記電子機器に装着される一方、該電子機器内の二次電池が前記充電台にセットされて充電が開始されることを特徴とする電子機器システム。
【請求項３】
前記電子機器には、
回転軸を中心に回転するとともに該回転軸を中心とした対称の位置に複数の電池収容部を有する回転ドラムと、
該回転ドラムを回転させる回転手段と、
前記回転ドラムが所定の回転角度のときに当該回転ドラムに収容された二次電池の電極に接触して内部回路に電圧を入力する電源入力端子と、
が設けられ、
前記充電台には、
二次電池を台上に載せた状態で保持する電池台と、
この電池台に保持された二次電池に対して充電を行う充電用回路と、
が設けられ、
前記電子機器を前記充電台にセットしたときに、前記電池台上の二次電池が前記回転ドラムの１個の電池収容部に挿入され、その後、前記回転ドラムが回転して２個の電池収容部の配置が入れ替わることで、前記電池台上の二次電池と前記電子機器内の二次電池とが入れ替えられるように構成されていることを特徴とする請求項２記載の電子機器システム。
【請求項４】
前記回転手段は前記回転ドラムに連結された駆動ギヤであり、
前記充電台には、
前記駆動ギヤに噛合可能にされたスティック形状の直線ギヤと、
前記電池台を前記直線ギヤに沿った方向に変位可能とする変位機構と、
が設けられ、
前記電子機器を前記充電台にセットして押し込むことで、前記直線ギヤが前記駆動ギヤと噛み合って前記回転ドラムを回転させるとともに、前記変位機構により前記電子機器の押し込みに追従して前記電池台がスライド移動するように構成されていることを特長とする請求項２記載の電子機器システム。
【請求項５】
前記駆動ギヤと前記直線ギヤとは、前記電子機器を押し込むときだけギヤが噛み合って前記回転ドラムを回転させ、前記電子機器を引き出すときにギヤの噛み合いが解かれるか或いは駆動ギヤが空転して前記回転ドラムを回転させないように構成されていることを特徴とする請求項４記載の電子機器システム。
【請求項６】
前記電子機器には、
前記回転ドラムを外部に露出させて二次電池を挿抜させる開口部と、
該開口部を塞ぐシャッターと、
前記直線ギヤが挿入される挿入溝とが設けられ、
前記電子機器を前記充電台にセットして押し込む際に、前記直線ギヤが前記挿入溝に挿入されて前記シャッターの一部に引っかかることで、前記シャッターが開くように構成されていることを特徴とする請求項４又は５の何れかに記載の電子機器システム。
【発明の詳細な説明】
【技術分野】
【０００１】
この発明は、二次電池の電力で動作する携帯型の電子機器と、二次電池の充電用回路を備えた充電台とを有する電子機器システムに関する。
【背景技術】
【０００２】
二次電池で動作する携帯型の電子機器は、一般に、クレードルと呼ばれる充電台が付加され、電子機器をこの充電台に置くことで電子機器内の二次電池を充電できるように構成されるものが多い。また、電子機器から二次電池を取り出して、電池のみの状態で充電を行う形式のものもある。
【０００３】
また、本願の発明に関連する従来技術として次のような技術の開示があった。例えば、特許文献１には、携帯電話の二次電池を二次電池のみでクレードルに載置して充電を行えるようにしたアダプターについて開示されている。また、特許文献２には、携帯電話の二次電池を予備電池用ケースに入れたまま充電できるようにした技術が開示されている。
【特許文献１】特開２００４−１４０５７９号公報
【特許文献２】実登３１０５６２２号公報
【発明の開示】
【発明が解決しようとする課題】
【０００４】
クレードルに電子機器を置いて充電を行う形式のものでは、充電の操作が簡単であるという利点がある一方、充電中は電子機器を携帯して使用することが出来ないという欠点がある。
【０００５】
また、電子機器から二次電池を取り出して充電を行う形式のものでは、２組の二次電池を用意して、電子機器の使用中に片方の二次電池を充電しておき、電子機器の二次電池が消耗したら充電器の二次電池と交換することで、電子機器を絶え間なく使用することが出来るという利点があるが、二次電池を電子機器から取り出したりセットしたり蓋を開け閉めしたりと云った煩雑な操作を要するという欠点がある。
【０００６】
この発明の目的は、電子機器をクレードルに置くだけで消耗した二次電池の充電を行うことが出来るという簡便さと、二次電池の充電中でも電子機器を通常通りに使用できるといった利便性とを兼ね備えた電子機器システムを提供することにある。
【課題を解決するための手段】
【０００７】
本発明は、上記目的を達成するため、二次電池の電力で動作する携帯型の電子機器と、前記二次電池の充電を行う充電台と、を有する電子機器システムであって、前記電子機器および前記充電台には、前記電子機器内にある二次電池と充電台にセットされている二次電池とを自動的に交換可能な電池交換機構が設けられ、前記電子機器を前記充電台にセットして前記電池交換機構を動作させることで、充電されていた二次電池が前記電子機器に装着される一方、該電子機器内の二次電池が前記充電台にセットされて充電が開始される構成とした。
【０００８】
このような手段によれば、電子機器を充電台に置くことで、電子機器の二次電池を自動的に充電済みの二次電池に交換することが出来る。従って、電子機器の二次電池の充電を行うのに、蓋を開けて二次電池を取り出したり装着したりすると云った煩雑な操作を必要とせず、簡便に充電処理を行うことが出来る。さらに、充電は電子機器から交換され取り外された二次電池に対して行われるので、二次電池の充電中でも電子機器は通常通りに使用することが出来る。
【０００９】
具体的には、前記電子機器には、回転軸を中心に回転するとともに該回転軸を中心とした対称の位置に複数の電池収容部を有する回転ドラムと、該回転ドラムを回転させる回転手段と、前記回転ドラムが所定の回転角度のときに当該回転ドラムに収容された二次電池の電極に接触して内部回路に電圧を入力する電源入力端子とが設けられ、前記充電台には、二次電池を台上に載せた状態で保持する電池台と、この電池台に保持された二次電池に対して充電を行う充電用回路とが設けられ、前記電子機器を前記充電台にセットしたときに、前記電池台上の二次電池が前記回転ドラムの１個の電池収容部に挿入され、その後、前記回転ドラムが回転して２個の電池収容部の配置が入れ替わることで、前記電池台上の二次電池と前記電子機器内の二次電池とが交互に入れ替えられるように構成すると良い。
このような構成によれば、二次電池の入れ替えを確実に行うことが出来る。
【００１０】
さらに具体的には、前記回転手段は前記回転ドラムに連結された駆動ギヤであり、前記充電台には、前記駆動ギヤに噛合可能にされたスティック形状の直線ギヤと、前記電池台を前記直線ギヤに沿った方向に変位可能とする変位機構とが設けられ、前記電子機器を前記充電台にセットして押し込むことで、前記直線ギヤが前記駆動ギヤと噛み合って前記回転ドラムを回転させるとともに、前記変位機構により前記電子機器の押し込みに追従して前記電池台がスライド移動するように構成すると良い。
【００１１】
このような構成によれば、手動の力で二次電池の入れ替えを行わせることが出来る。また、ユーザは、電子機器を押し込むか否かで、二次電池の入れ替えを行うか否かを選択することも出来る。
【００１２】
また具体的には、前記駆動ギヤと前記直線ギヤとは、前記電子機器を押し込むときだけギヤが噛み合って前記回転ドラムを回転させ、前記電子機器を引き出すときにギヤの噛み合いが解かれるか或いは駆動ギヤが空転して前記回転ドラムを回転させないように構成とすると良い。
【００１３】
このような構成により、電子機器を押し込んで二次電池を交換した後に、この押し込んだ分をそのまま元の位置まで引き戻すことが可能になる。元の位置に引き戻しても、回転ドラムは逆回転しないので、入れ替えられた二次電池が再び転換されて元に戻されることがない。
【００１４】
好ましくは、前記電子機器には、前記回転ドラムを外部に露出させて二次電池を挿抜させる開口部と、該開口部を塞ぐシャッターと、前記直線ギヤが挿入される挿入溝とが設けられ、前記電子機器を前記充電台にセットして押し込む際に、前記直線ギヤが前記挿入溝に挿入されて前記シャッターの一部に引っかかることで、前記シャッターが開くように構成すると良い。
【００１５】
このような構成により、電池を挿抜する開口部が普段はシャッターにより閉じられた状態にされるので、電子機器を携帯して使用している際に開口部が邪魔になることがない。
【発明の効果】
【００１６】
以上説明したように、本発明に従うと、電子機器の二次電池の充電を簡便に行うことが出来るとともに、二次電池の充電中に電子機器の通常の使用が出来なくなると云った不便さがなく、電子機器をほぼ絶え間なく使用し続けることも出来るという効果がある。
【発明を実施するための最良の形態】
【００１７】
以下、本発明の実施の形態を図面に基づいて説明する。
図７には、この実施形態の電子機器の使用形態の一例を表した説明図を示す。
この実施の形態の電子機器システムは、携帯型の電子機器１０と、この電子機器１０を挿入することで二次電池の交換や充電を行う充電台２０とから構成されるものである。電子機器１０は、例えば、図７に示すように、ヘッドフォン１５などを挿して音楽を聴くことのできる携帯型のオーディオプレーヤ等である。充電台２０は、例えば、その上面側に挿入穴２２が設けられ、ここに電子機器１０を挿入して二次電池の交換や充電が行えるようになっている。
【００１８】
図１は、電子機器側の二次電池の交換機構を示すもので、（ａ）は電子機器のケース部分を破断させて内部を露呈させた側方図、（ｂ）はケース部分を破断させて内部を露呈させた前方図、（ｃ）は電子機器の底面図である。図２は、電子機器側の交換機構の主要な構成要素を示す分解斜視図である。
【００１９】
電子機器１０には、電子機器として機能する電子回路や操作部等が設けられるほか、ケース１０Ａ内の下側部分に二次電池の交換機構が設けられている。電子機器１０の交換機構には、軸受け１０１，１０１に回転可能に支持された回転軸１０２と、この回転軸１０２に固着された駆動ギヤ１０３と、回転軸１０２に固着された回転ドラム１０４と、回転軸１０２に回動可能に支持されたシャッター１０５と、回転ドラム１０４が回転して二次電池Ｆ１が上端に来たときにこの二次電池Ｆ１の電極に接触して内部回路に電圧を入力する電源入力端子１１０，１１０等が設けられている。
【００２０】
また、電子機器１０のケース１０Ａの底面部には、図１（ｃ）に示すように、二次電池を挿抜するための開口部１２０と、後述する直線ギヤ２０５が挿入される挿入溝１２１とが設けられている。
【００２１】
回転ドラム１０４には、回転軸を挟んで一方の側と他方の側とに、二次電池を収容可能な２個の電池収容部１３１，１３１が設けられている。電池収容部１３１、１３１は、円筒形の二次電池の片側を覆うように円筒内面の一方の側を開放したような形態され、上記回転軸を中心として対称な位置にそれぞれ形成されている。円筒形の二次電池はその長手方向を回転ドラム１０４の回転軸に沿った向きにして、回転ドラム１０４の側面側から電池収容部１３１，１３１に収容することが可能になっている。
【００２２】
また、回転ドラム１０４の周囲には、回転ドラム１０４の回転途中で二次電池が電池収容部１３１，１３１から飛び出さないように、回転ドラム１０４の側面を囲う枠体１０６が設けられている。なお、この枠体１０６も、ケース１０Ａの底面側（開口部１２０側）は開放されている。
【００２３】
シャッター１０５は、ケース１０Ａの開口部１２０を内側から覆う蓋面部１４１と、回転軸１０２に回転可能に軸支されて蓋面部１４１を支持する側壁１４２，１４２とから構成される。蓋面部１４１は、回転ドラム１０４の外周面に沿って回動するため、この外周面に沿うような曲面形状にされている。また、このシャッター１０５は、図示略のコイルバネ等により付勢され、且つ、ストッパーにより係止されて、通常時には、蓋面部１４１が開口部１２０の位置で停止した状態にされ、回転軸１０２を中心に一方向（図１（ａ）の時計回り方向）に押すことで一方向のみに開くようになっている。
【００２４】
また、このシャッター１０５には、図１（ｂ）や図２に示すように、シャッター１０５を開閉するのに後述の直線ギヤ２０５が当接するピン１４３が設けられている。このピン１４３は一方の側壁１４２から外側に伸びるように形成されている。
【００２５】
電源入力端子１１０，１１０は、基部側が図示しない内部の電子基板に接続され、先端側が回転ドラム１０４の側方で、且つ、電池収容部１３１が上端位置になった際に該電池収容部１３１に収容された二次電池Ｆ１の電極に接触される位置に固定されている。
電源入力端子１１０，１１０の先端側は、二次電池Ｆ１を引っかかりなく横方からすべり込ませるようにして電極部分を把持できるように、外周部がせりあがった曲面形状、或いは勾配を有した形状にされている。
【００２６】
図３には、充電台側の二次電池の交換機構の図を示す。同図（ａ）は充電台のケース部分を破断して内部を露呈させた側方図、（ｂ）はケース部分を破断させて内部を露呈させた前方図、（ｃ）は充電台の平面図である。
【００２７】
充電台２０は、電子機器１０が挿入される挿入穴２２の内部に二次電池の交換機構が設けられ、また、ケース２０Ａの内部に二次電池を充電するための図示略の充電用回路が設けられている。充電台２０側の交換機構は、二次電池Ｆ２を載置して保持する電池台２０１と、この電池台２０１を上下方向に変位可能に支持する変位機構としての台座バネ２０２，２０２と、電子機器１０のシャッター１０５を開いたり回転ドラムを回転させたりするための直線ギヤ２０５等を備えている。
【００２８】
電池台２０１は、その上面部に二次電池Ｆ２が転がらないように載置可能とする型枠が形成されたブロック体であり、また、その両端部には、二次電池Ｆ２の電極部分に当接して二次電池Ｆ２を把持する充電用端子２１１，２１１が設けられている。充電用端子２１１，２１１はケース２０Ａ内の充電用回路に電気的に接続されている。また、充電用端子２１１，２１１の先端側は、二次電池Ｆ１を引っかかりなく横方からすべり込ませるようにして電極部分を把持できるように、外周部がせりあがった曲面形状、或いは勾配を有した形状にされている。
【００２９】
直線ギヤ２０５は、電子機器１０の駆動ギヤ１０３と噛合可能なギヤが直線状に設けられたスティック形状のギヤである。そのギヤ形状は、駆動ギヤ１０３が降下する際に駆動ギヤ１０３と当接する側のギヤ面の勾配はきつく、駆動ギヤ１０３が上昇する際に駆動ギヤ１０３と当接する側のギヤ面の勾配はなだらかにされており、駆動ギヤ１０３が降下する際には駆動ギヤ１０３と強く噛み合って駆動ギヤ１０３を回転させる一方、駆動ギヤ１０３が上昇する際には駆動ギヤ１０３と直線ギヤ２０５とが滑るようにして噛合が解かれるように構成されている。
【００３０】
この直線ギヤ２０５は、その下縁部が固定ピン２０７によりケース２０Ａの張出部２０６に固定され、この固定ピン２０７を中心に回動可能にされている。すなわち、固定ピン２０７を中心に回動して、ギヤ部分を前後に変位させることが可能になっている。また、この直線ギヤ２０５には、ギヤ部分を前方に押し出すように付勢するバネ２０８が当接され、また、このバネ２０８の付勢力によっても直線ギヤ２０５がほぼ垂直な状態から前方に倒れないようにするストッパー（図示略）が付加されている。
【００３１】
また、直線ギヤ２０５の上側先端部分には、電子機器１０のシャッター１０５のピン１４３と当接してピン１４３を横方に誘導するためのカム面２２１が設けられている。
【００３２】
次に、上記のように構成された交換機構の動作について説明する。
図４〜図６には、電池交換の際の交換機構の動作の流れを表した説明図を示す。これらの図中（ａ）〜（ｇ）の順番で交換機構が動作していく過程を示している。
【００３３】
例えば、電子機器１０の二次電池Ｆ１が消耗してきて充電済みの二次電池Ｆ２と交換を行う場合、ユーザは電子機器１０を充電台２０の挿入穴２２に挿入する。すると、図４（ａ），（ｂ）に示すように、直線ギヤ２０５が電子機器１０の底面から挿入溝１２１を介して電子機器１０の内部に挿入され、先ず、直線ギヤ２０５の先端のカム面２２１がシャッター１０５のピン１４３に当接する。そして、そのまま電子機器１０が降下することで、直線ギヤ２０５のカム面２２１がピン１４３を押し上げ横方に誘導することで、シャッター１０５が回動して開口部１２０が開かれる。
【００３４】
さらに、このとき、図４（ｃ）に示すように、電池台２０１上の二次電池Ｆ２が開口部１２０から挿入されて回転ドラム１０４の下側の電池収容部１３１に収容された状態にされる。また、直線ギヤ２０５のギヤ先端が駆動ギヤ１０３に差し掛かった状態にされる。
【００３５】
ここで、ユーザは電子機器１０を充電台２０の中にさらに押し込む。すると、図５（ｄ）に示すように、直線ギヤ２０５と駆動ギヤ１０３とが噛み合って駆動ギヤ１０３を回転させる。そして、この回転に伴って回転ドラム１０４も回転し、回転ドラム１０４の電池収容部１３１，１３１に収容されていた二次電池Ｆ１，Ｆ２は、電源入力端子１１０，１１０と電池台２０１の充電用端子２１１，２１１とから外されて回転ドラム１０４に伴って移動する。
【００３６】
そして、電子機器１０を最後まで押し込むことで、図５（ｅ）に示すように、電池台２０１上にあった二次電池Ｆ２が上端位置に、電子機器１０内にあった二次電池Ｆ１が下端位置まで移動される。このとき、上側の二次電池Ｆ２は、電源入力端子１１０，１１０の間に横からすべり込むようにして、その電極部分が電源入力端子１１０，１１０に把持・接続された状態にされる。また、下側の二次電池Ｆ１も同様に充電用端子２１１，２１１の間に横からすべり込むようにして、その電極部分が充電用端子２１１，２１１に把持・接続された状態にされる。
【００３７】
また、上記の電子機器１０を押し込こむ際には、電池台２０１は台座バネ２０２，２０２により上下方向に変位して電子機器１０の移動を妨げないようになっている。
【００３８】
ついで、ユーザは電子機器１０を充電台２０の中から引き上げる。すると、図６（ｆ）に示すように、直線ギヤ２０５は、固定ピン２０７を中心にカタカタと前後に変位して駆動ギヤ１０３と滑りあうようにして抜かれていく。そのため、ここで回転ドラム１０４は回転することなく、二次電池Ｆ１，Ｆ２の配置も変更しない。
【００３９】
そして、図６（ｇ）に示すように、電子機器１０が充電台２０から引き抜かれると、元々電池台２０１上にあった充電済みの二次電池Ｆ２と、元々電子機器１０内にあって消耗された二次電池Ｆ１とが、互い違いに入れ替えられ、さらに、図示略のコイルバネとストッパーの作用によりシャッター１０５も閉じた状態にされる。
【００４０】
以上のように、この実施の形態の電子機器システムによれば、電子機器１０を充電台２０の挿入穴２２に挿入して押し込むことで、電子機器１０内の二次電池Ｆ１と充電台２０内の二次電池Ｆ２とを自動的に入れ替えることが出来る。そして、使用済みの二次電池Ｆ１は充電台２０にセットされて充電が開始されることとなる。
【００４１】
つまり、電子機器１０の二次電池Ｆ１を充電するのに蓋を開け閉めして電池を取り出したりする必要がなく、簡便な操作で充電を行うことが出来るとともに、二次電池は充電中のものと交換して使用する形式なので、二次電池の充電中でも電子機器１０を通常通りに使用することが出来るという効果が得られる。
【００４２】
なお、本発明は、上記実施の形態に限られるものではなく、様々な変更が可能である。例えば、二次電池を円筒形状としたが、例えば、角型のものであっても、回転ドラムの電池収容部の形状をその形状に合わせることで、同様の処理で電池交換を行うことが出来る。また、回転ドラムを直線ギヤと駆動ギヤの噛み合わせにより回転させる構成としたが、例えば、充電台の電池が回転ドラムに入ったことをセンサで検知し、この検知出力に基づいて電動で回転させる構成とするなど、種々の構成を適用可能である。
【００４３】
また、上記の実施形態では、駆動ギヤ１０３と回転ドラム１０４とを回転軸１０２に固着してこの回転軸１０２により駆動力を伝達する構成としたが、その他、駆動ギヤと回転ドラムを同軸に固定せずに、タイミングベルト等で両者間を連結して駆動ギヤの駆動力が回転ドラムに伝達される構成としても良い。
【００４４】
また、上記実施形態では、電子機器１０を引き抜く際に、直線ギヤ２０５と駆動ギヤ１０３の噛み合わせが解かれて駆動ギヤ１０３を回転させないようにしているが、駆動ギヤ１０３に一方向の回転時のみ駆動力を回転軸１０２に伝達し、逆方向の回転時には空転して駆動力を回転軸１０２に伝達しない一方向クラッチを付加することで、電子機器１０を引き抜く際に回転ドラム１０４が回転しないように構成することも出来る。
【００４５】
また、上記実施形態では、電子機器としてポータブルオーディオプレーヤを適用した構成を例示したが、これらは一例に過ぎず、様々な携帯型の電子機器に適用することが出来る。さらに、実施の形態で示した細部構造等は発明の趣旨を逸脱しない範囲で適宜変更可能である。
【図面の簡単な説明】
【００４６】
【図１】電子機器側の二次電池の交換機構を示すもので、（ａ）はその側方図、（ｂ）は前方図、（ｃ）は電子機器の底面図である。
【図２】電子機器側の交換機構の主要な構成要素を示した分解斜視図である。
【図３】充電台側の二次電池の交換機構を示すもので、（ａ）はその側方図、（ｂ）は前方図、（ｃ）は充電台の平面図である。
【図４】電池交換の際の交換機構の動作の流れを表したものでその第１工程〜第３工程を示す説明図である。
【図５】電池交換の際の交換機構の動作の流れを表したものでその第４工程と第５工程とを示す説明図である。
【図６】電池交換の際の交換機構の動作の流れを表したものでその第６工程と第７工程とを示す説明図である。
【図７】実施形態に係る電子機器の使用形態の一例を表した説明図である。
【符号の説明】
【００４７】
１０      電子機器
１０Ａ    ケース
１０２    回転軸
１０３    駆動ギヤ
１０４    回転ドラム
１０５    シャッター
１１０    電源入力端子
１２０    開口部
１２１    挿入溝
１３１    電池収容部
１４３    シャッターのピン
２０      充電台
２２      挿入穴
２０１    電池台
２０２    台座バネ（変位機構）
２０５    直線ギヤ
２０７    ピン
２０８    バネ
２１１    充電用端子
２２１    カム面
Ｆ１，Ｆ２  二次電池
【図１】
2008171671.tif 000003
【図２】
2008171671.tif 000004
【図３】
2008171671.tif 000005
【図４】
2008171671.tif 000006
【図５】
2008171671.tif 000007
【図６】
2008171671.tif 000008
【図７】
2008171671.tif 000009